(57)【特許請求の範囲】
【請求項１】
両側に段板が組み付けられた柱壁の頂面に、適宜大きさのプレキャストコンクリート板からなる屋根板が取り付けられ、該屋根板は中央の開口部が柱壁の頂面に位置するように設置され、前記開口部の内周面に突設された連結プレートが柱壁の頂面から突設したアンカーボルトに固定されたことを特徴とする屋外用組立階段の屋根構造。
【請求項２】
屋根板は１枚または２枚のプレキャストコンクリート板で形成されたことを特徴とする請求項１に記載の屋外用組立階段の屋根構造。
【請求項３】
屋根板上面の周縁に沿って適宜高さの突起部が設けられたことを特徴とする請求項１または２に記載の屋外用組立階段の屋根構造。
【請求項４】
屋根板は全体が上側に湾曲したことを特徴とする請求項１〜３のいずれかに記載の屋外用組立階段の屋根構造。
【請求項５】
両側に段板が組み付けられた柱壁の頂面に、適宜大きさのプレキャストコンクリート板からなる屋根板を中央の開口部が柱壁の頂面に位置するように設置し、前記開口部の内周面に突設された連結プレートを柱壁の頂面から突設したアンカーボルトに固定した後、前記柱壁の頂面と開口部とで形成された空隙部にコンクリートを打設することを特徴とする屋外用組立階段の屋根構造の構築工法。
【請求項６】
両側に段板が組み付けられた柱壁の頂面に、適宜大きさのプレキャストコンクリート板からなる屋根板を中央の開口部が柱壁の頂面に位置するように設置し、前記開口部の内周面に突設された連結プレートを柱壁の頂面から突設したアンカーボルトに固定するとともに、前記頂面から突設した鉄筋を屋根板上面に形成された欠き込み部に折り曲げ配筋した後、前記柱壁の頂面と開口部とで形成された空隙部と、前記欠き込み部とにコンクリートを打設することを特徴とする屋外用組立階段の屋根構造の構築工法。
【請求項７】
屋根板は１枚または２枚のプレキャストコンクリート板で形成されたことを特徴とする請求項５〜６のいずれかに記載の屋外用組立階段の屋根構造の構築工法。
【発明の詳細な説明】
【０００１】
【発明の属する技術分野】
本発明は屋外用組立階段の屋根構造およびその構築工法に関するものである。
【０００２】
【従来の技術】
近年、マンションなどの集合住宅の屋外階段はプレキャストコンクリート製の組立階段が構築されるようになっている。この屋外階段の屋根を鉄筋コンクリートで構築する場合は、型枠が必要であったために外部足場を組んでいた。
【０００３】
【発明が解決しようとする課題】
しかし、上記のように屋根を鉄筋コンクリートで構築する場合は、型枠や外部足場を必要としていたため、大がかりな工事となり、かつ危険を伴う工事であった。
【０００４】
本発明はこれらの問題に鑑みてなされたものであり、その目的は、短期間でかつ安全に施工できる屋外用組立階段の屋根構造およびその構築工法を提供することである。
【０００５】
【課題を解決するための手段】
以上の課題を解決するための屋外用組立階段の屋根構造は、両側に段板が組み付けられた柱壁の頂面に、適宜大きさのプレキャストコンクリート板からなる屋根板が取り付けられ、該屋根板は中央の開口部が柱壁の頂面に位置するように設置され、前記開口部の内周面に突設された連結プレートが柱壁の頂面から突設したアンカーボルトに固定されたことを特徴とする。また屋根板は１枚または２枚のプレキャストコンクリート板で形成されたことを含む。また屋根板上面の周縁に沿って適宜高さの突起部が設けられたことを含む。また屋根板は全体が上側に湾曲したことを含むものである。
また屋外用組立階段の屋根構造の構築工法は、両側に段板が組み付けられた柱壁の頂面に、適宜大きさのプレキャストコンクリート板からなる屋根板を中央の開口部が柱壁の頂面に位置するように設置し、前記開口部の内周面に突設された連結プレートを柱壁の頂面から突設したアンカーボルトに固定した後、前記柱壁の頂面と開口部とで形成された空隙部にコンクリートを打設することを特徴とする。また屋根板は１枚または２枚のプレキャストコンクリート板で形成されたことを含むものである。
また屋外用組立階段の屋根構造の構築工法は、両側に段板が組み付けられた柱壁の頂面に、適宜大きさのプレキャストコンクリート板からなる屋根板を中央の開口部が柱壁の頂面に位置するように設置し、前記開口部の内周面に突設された連結プレートを柱壁の頂面から突設したアンカーボルトに固定するとともに、前記頂面から突設した鉄筋を屋根板上面に形成された欠き込み部に折り曲げ配筋した後、前記柱壁の頂面と開口部とで形成された空隙部と、前記欠き込み部とにコンクリートを打設することを特徴とする。また屋根板は１枚または２枚のプレキャストコンクリート板で形成されたことを含むものである。
【０００６】
柱壁や段板などと同じプレキャストコンクリート板で屋根板が形成され、該屋根板が連結プレートで柱壁の頂面に突設したアンカーボルトに固定されたことにより、屋根板の自重やその他の荷重による曲げ応力が、前記の連結プレートおよびアンカーボルトを通じて柱壁に伝達される。
【０００７】
屋根板がプレキャストコンクリート板を使用して構築されたことにより、型枠や外部足場を必要とせずに、屋外用組立階段の屋根構造が短期間でかつ安全に構築できる。
【０００８】
地上において屋根板に組立階段の最上部の柱壁を組み付けた後に、これを既に建て込まれた柱壁に接合したことにより、高所での組立作業が容易かつ簡潔になる。
【０００９】
【発明の実施の形態】
以下、本発明の屋外用組立階段の屋根構造（以下屋根構造）の実施の形態を図面に基づいて説明する。図１は屋根構造の断面図、図２は屋根板の分解平面図、図３は屋根板の取り付け状態を示す平面図、図４は図３のＡ−Ａ線断面図、図５の（１）は図３のＢ−Ｂ線断面図、（２）は同Ｃ−Ｃ線断面図である。
【００１０】
図１は屋根構造１を示し、プレキャストコンクリート製の柱壁２と、該柱壁２に組み付けられた段板３と、最上部の柱壁の頂面２ａに設けた屋板板４とから構成されている。
【００１１】
屋根板４は、図２に示すように、２枚のプレキャストコンクリート板５が接続片５ｃで接合して構成されている。プレキャストコンクリート板５は建物側および先端側の水平板５ａと、これらを結ぶ斜板５ｂとで構成され、建物側の水平板５ａには接続筋６が突出されている。
【００１２】
プレキャストコンクリート板５の接合辺を除く周縁には所定の高さの突起７が突設されているとともに、前記接合辺には凹溝８が形成され、この内面には連結プレート９が突設されている。また凹溝８の上面には、所定の大きさの欠き込み部１０が形成され、ここには連結筋１１が適宜間隔ごとに配筋され、その先端部が凹溝８まで臨んでいる。
【００１３】
このプレキャストコンクリート板５が接合された屋根板４には凹溝８による開口部１３が形成され、ここに連結プレート９が配設されている。また開口部１３には連結筋１１の先端部が僅かな間隔をもって突き合わせ配筋されている。
【００１４】
図３および図４は、屋根板４を柱壁２に固定したものであり、プレキャストコンクリート板５の接合辺の一端部が柱壁の頂面２ａに設置されている。また連結プレート９に柱壁の頂面２ａのアンカーボルト１４が挿入されてナット１５で固定されているとともに、アンカーボルト１４に取り付けた補強板１９が連結プレート９に溶接されている。また突合せ配筋された連結筋１１が添え筋１６で溶接接合されて、連結筋１１間に補強筋１７が配筋されている。
【００１５】
この屋根板４は、柱壁の頂面２ａと開口部１３から形成された空隙部１８と、欠き込み部１０とに打設されたコンクリート（図示せず）で柱壁２に固定されるとともに、水平板５ａが接続筋６で建物１２に接合されている。
【００１６】
図６は他の屋根板２０の平面図を示したものであり、（１）はプレキャストコンクリート板２１の接合辺の上面全部にわたって欠き込み部２２が設けられた構成と、欠き込み部２２全体に連結筋２３が配筋された構成とを除いては、前記の屋根板４と同一の構成である。また（２）は図２の屋根板４を１枚のプレキャストコンクリート板で形成した屋根板４を示したものであり、その他の構成は図２の屋根板４と同一である。
【００１７】
以下に、上記の屋根構造の構築工法を説明する。まず、図２に示すような、プレキャストコンクリート板５を工場で製造して現場に搬送し、これらを地上で接合して屋根板４を形成する。この屋根板４には凹溝８による開口部１３が形成され、ここに連結プレート９が配設されるとともに、連結筋１１もわずかな間隔をもって突合せ配筋されている。
【００１８】
このような屋根板４をクレーンで吊り上げて、既に組み立てられた柱壁の頂面２ａに設置するとともに、連結プレート９にアンカーボルト１４を挿入してナット１５で固定する。またアンカーボルト１４に取り付けた補強板１９を連結プレート９に溶接する。そして突合せ配筋された連結筋１１を添え筋１６で接合して、連結筋１１間に補強筋１７が配筋されるようにする。
【００１９】
次に、柱壁の頂面２ａと開口部１３で形成された空隙部１８と、欠き込み部１０と、接続筋が配筋された建物１２の上面とに現場打ちコンクリート（図示せず）を打設して屋根構造１を構築する。このように屋根板４をプレキャストコンクリート板５で形成したことにより、屋根構造１が型枠や外部足場を必要とせずに構築できる。
【００２０】
また図６（１）の屋根板２０を使用する場合も、前記と同様に屋根板２０を連結プレート２４で柱壁２に固定するとともに、欠き込み部２２全体に配筋した連結筋２３を添え筋（図示せず）で溶接接合した後に、開口部２５および欠き込み部２２全体に現場打ちコンクリート（図示せず）を打設する。また同図の（２）の屋根板４を使用する場合も同様の方法で構築する。
【００２１】
図７は上側に湾曲したプレキャストコンクリート板２６を使用した屋根板２７であり、上側に湾曲した構成を除いて、上記の屋根構造１と同一の構成である。
【００２２】
この屋根構造２８の構築工法は、地上において２枚のプレキャストコンクリート板２６を突合せ接合して、図８に示すような屋根板２７を形成し、これをクレーンで吊り上げて柱壁の頂面２ａに設置する。そして開口部２９の連結プレート３０にアンカーボルト１４を挿入してナット１５で固定するとともに、アンカーボルト１４に取り付けた補強板３１を連結プレート３０に溶接する。
【００２３】
次に、図９に示すように、柱壁の頂面２ａから突出した鉄筋３２を折り曲げて反対側のプレキャストコンクリート板２６の欠き込み部３３に配筋するとともに、該欠き込み部３３に配筋された連結筋３４に添え筋３５を重ね配筋する。そして柱壁の頂面２ａと開口部２９で形成された空隙部３６と、欠き込み部３３と、接続筋３７が配筋された建物１２の上面とに現場打ちコンクリート（図示せず）を打設する（図１０および図１１）。
【００２４】
また図１２は、地上において、組立階段における最上部の柱壁材２ｂに屋根板３８を組み付けたものであり、これをクレーンで吊り上げて、既に建て込まれた柱壁２の最上部に接合して屋根構造を構築する。このように地上において柱壁材２ｂに屋根板３８を組み付けたことにより、高所での組立作業が容易かつ簡潔となる。
【００２５】
【発明の効果】
柱壁や段板などと同じプレキャストコンクリート板で屋根板が形成されたことにより、簡単な作業で屋根構造が構築できる。
【００２６】
屋根板が連結プレートで柱壁の頂面に突設したアンカーボルトにネジ止めされたことにより、屋根板の自重やその他の荷重による曲げ応力が、前記の連結プレートおよびアンカーボルトを通じて柱壁に伝達できる。
【００２７】
屋根板がプレキャストコンクリート板を使用して構築されたことにより、型枠や外部足場を必要とせずに屋根構造が構築できる。
【００２８】
屋根板の上面の周縁に突設された適宜高さの突起により、雨水を所定の箇所に排水できる。
【００２９】
屋根板が上側に湾曲したことにより、組立階段の景観およびグレードを高めることができる。
【００３０】
適宜大きさのプレキャストコンクリート板からなる屋根板を、組立階段の最上部の柱壁に連結プレートで固定した後に、該固定部にコンクリートを打設して屋根構造を構築したことにより、屋根構造が外部足場を必要とせずに、短期間でかつ安全に構築できる。
【００３１】
屋根板に組立階段の最上部の柱壁を地上において組み付けた後に、これを既に建て込まれた柱壁に接合したことにより、高所での組立作業が容易かつ簡潔になる。
【００３２】
１枚のプレキャストコンクリート板で屋根板を形成したことにより、屋根構造が短期間でかつ簡単に構築できる。
【図面の簡単な説明】
【図１】屋根構造の断面図である。
【図２】屋根板の平面図である。
【図３】屋根板を取り付けた平面図である。
【図４】図３のＡ−Ａ線断面図である。
【図５】（１）は図３のＢ−Ｂ線断面図、（２）は同Ｃ−Ｃ線断面図である。
【図６】（１）および（２）は他の屋根板の平面図である。
【図７】他の屋根構造の断面図である。
【図８】屋根板の平面図である。
【図９】図１０のＤ−Ｄ線断面図である。
【図１０】屋根板を取り付けた平面図である。
【図１１】図１０の断面図である。
【図１２】最上部の柱壁を組み付けた屋根板の断面図である。
【符号の説明】
１、２８  屋根構造
２  柱壁
２ａ  柱壁の頂面
３  段板
４、２０、２７、３８  屋根板
５、２６  プレキャストコンクリート板
６、３７  接続筋
７  突起
８  凹溝
９、２３、３０  連結プレート
１０、２１、３３  欠き込み部
１１、２２、３４  連結筋
１２  建物
１３、２５、２９  開口部
１４  アンカーボルト
１５  ナット
１６、２４、３５  添え筋
１７  補強筋
１８、３６  空隙部
１９、３１  補強板
【図１】
0003729607.tif 000002
【図２】
0003729607.tif 000003
【図３】
0003729607.tif 000004
【図４】
0003729607.tif 000005
【図５】
0003729607.tif 000006
【図６】
0003729607.tif 000007
【図７】
0003729607.tif 000008
【図８】
0003729607.tif 000009
【図９】
0003729607.tif 000010
【図１０】
0003729607.tif 000011
【図１１】
0003729607.tif 000012
【図１２】
0003729607.tif 000013